(57)【要約】【課題】可動部に発生する応力による断線不良の問題を完全に防ぐことが可能で、かつ、機器内の回路や外部機器へのノイズ弊害も全く与えない電子機器及び電子機器内の通信方法を提供する。【解決手段】可動（ヒンジ）部３によって連結されている第１の筐体１と第２の筐体２とのそれぞれに収容されている第１の実装基板１１と第２の実装基板２１との双方に光送受信機４を対面させて実装し、第１の実装基板１１と第２の実装基板２１との間の通信をその光送受信機４で光通信によって行う。【選択図】  図１
2004282353.tif 000002
【特許請求の範囲】
【請求項１】
第１の筐体及び第２の筐体と、前記第１の筐体及び第２の筐体を可動可能な状態で連結する可動部とを備え、前記第１の筐体に収容する第１の実装基板と前記第２の筐体に収容する第２の実装基板との間でのデータの授受を行う電子機器であって、
前記第１の実装基板と前記第２の実装基板の双方に光送受信機を有するとともに、
前記光送受信機は、前記第１の実装基板と第２の実装基板との間の通信を、前記可動部を介して前記第１の筐体及び前記第２の筐体の内部において光を用いた空間伝送により行うように構成したことを特徴とする電子機器。
【請求項２】
第１の筐体及び第２の筐体と、前記第１の筐体及び第２の筐体を可動可能な状態で連結する可動部とを備え、前記第１の筐体に収容する第１の実装基板と前記第２の筐体に収容する第２の実装基板との間でのデータの授受を行う電子機器であって、
前記第１の実装基板と前記第２の実装基板の双方に、第１の光送受信機と、第１の光送受信機の指向範囲外を指向範囲とする第２の光送受信機とを有するとともに、
前記各実装基板における第１、第２の光送受信機のうち、前記可動部の開閉角度によって対面して通信可能となる方に切替える制御手段を備えたことを特徴とする電子機器。
【請求項３】
前記第１の光送受信機と前記第２の光送受信機とのそれぞれに同期検出部を備えると共に、
前記第１、第２の光送受信機のうち同期が取れて通信可能となる方を検出し、その検出結果に応じて動作を切替える制御手段を備えた
ことを特徴とする請求項２に記載の電子機器。
【請求項４】
前記第１又は第２の筐体のいずれか一方に配置する第１及び第２の表示部と、
前記第１の表示部及び前記第１の光送受信機との間に接続する第１の表示制御部と、
前記第２の表示部及び前記第２の光送受信機との間に接続する第２の表示制御部と、
前記第１、第２の光送受信機のうち通信可能となる方へ通信先が切替わり、前記第１、第２の光送受信機のうち通信可能となっている方の光送受信機に接続している前記表示制御部を動作させる制御手段と
を備えたことを特徴とする請求項２又は３に記載の電子機器。
【請求項５】
筐体外部からの外光を受光する位置に前記光送受信機を配置しているとともに、
前記筐体外部からの外光の光量を検出する光量検出部を配置し、
前記表示制御部は、前記光量検出部の検出した光量によって、前記第１及び第２の表示部のいずれかの表示動作を制御するように構成したことを特徴とする請求項４に記載の電子機器。
【請求項６】
第１の筐体及び第２の筐体と、前記第１の筐体及び第２の筐体を可動可能な状態で連結する可動部とを備え、前記第１の筐体に収容される第１の実装基板と前記第２の筐体に収容される第２の実装基板との間でのデータの授受を、前記第１の実装基板と前記第２の実装基板の双方に設けた光送受信機で行う電子機器内の通信方法であって、
前記第１の実装基板と第２の実装基板との間の制御信号の通信を、前記可動部の内部を介して第１の筐体及び第２の筐体内部にて前記光送受信機による光空間伝送により行うことを特徴とする電子機器内の通信方法。
【請求項７】
前記第１の実装基板と前記第２の実装基板の双方に、第１の光送受信機と第１の光送受信機の指向範囲外を指向範囲とする第２の光送受信機とを有し、
前記第１、第２の光送受信機のいずれか一方は、前記可動部での開閉角度によって対面して通信可能になると、前記第１、第２の光送受信機のいずれかでの通信動作に切替わることを特徴とする請求項６に記載の電子機器内の通信方法。
【請求項８】
前記第１、第２の光送受信機のうち同期が取れて通信可能となる方を検出し、その検出結果に応じて通信動作が切替わることを特徴とする請求項７に記載の電子機器内の通信方法。
【請求項９】
前記第１又は第２の筐体のいずれか一方に配置する第１及び第２の表示部と、
前記第１の表示部及び前記第１の光送受信機との間に接続する第１の表示制御部と、
前記第２の表示部及び前記第２の光送受信機との間に接続する第２の表示制御部とを備え、
前記第１、第２の光送受信機のうち通信可能となる方へ通信先が切替わり、前記第１、第２の光送受信機のうち通信可能となっている方の光送受信機に接続している前記表示制御部のみを動作させることを特徴とする請求項７又は８に記載の電子機器内の通信方法。
【請求項１０】
前記筐体外部からの外光の光量を検出すると、
前記検出した光量によって、前記第１及び第２の表示部のいずれかの表示動作を制御することを特徴とする請求項９に記載の電子機器内の通信方法。
【発明の詳細な説明】
【０００１】
【発明の属する技術分野】
本発明は、可動（ヒンジ）部により連結される第１の筐体と第２の筐体とにそれぞれ収容された第１の実装基板と第２の実装基板との間で、データのやり取りを行うことができる電子機器及び電子機器内の通信方法に関する。
【０００２】
【従来の技術】
従来の可動部を有する折畳式の電子機器の構成について、図１０〜１４を使って説明する。
図１０及び図１１は、折畳式の電子機器、例えば携帯電話機における開放状態及び閉鎖状態を示すものであり、この折畳式の携帯電話機は、第１の筐体１０１と、第２の筐体１０２と、これらの筐体を連結するヒンジ部１０３とを備えている。
【０００３】
また、一般的に、第１の筐体１０１には第１の表示部１０４を設けているとともに、第２の筐体１０２には入力キー１０５が配置されている。さらに、第１の筐体１０１には、第１の表示部１０４を設けた内面とは反対の外面に第２の表示部１０６（図１１参照）を設けているものも開発されている。
【０００４】
また、通常、この折畳式の携帯電話機にあっては、例えば図１２に示すように、第１の筐体１０１内部に、前述した第１の表示部１０４や第２の表示部１０６などを制御するために第１の実装基板１０７を設けているとともに、第２の筐体１０２内部には、入力キー１０５からの入力の制御などを行うために第２の実装基板１０８を設けている。
【０００５】
これら第１の実装基板１０７及び第２の実装基板１０８は、可撓性部材で構成されているとともに、これらの実装基板１０７，１０８の間は、電気接続用配線が印刷されているフレキシブル基板１０９で電気的に接続されており、このフレキシブル基板１０９を介して、第１の実装基板１０７と第２の実装基板１０８との間で制御信号の通信を行っている。
【０００６】
また、このフレキシブル基板１０９を用いることにより、その可撓性を利用して、携帯電話機の使用形態の変化、つまり図１２及び図１３に示すように、筐体の開状態及び閉状態でのいずれの状態でも、前述の第１、第２の実装基板１０７，１０８間での制御信号の通信状態を確実に行うことができるように構成されている。
【０００７】
即ち、図１４は従来の携帯電話機におけるブロック構成を示したものであり、この携帯電話機では、第２の実装基板１０８上に実装されている通信制御部１２１と、第１の実装基板１０７上に実装されている表示制御部１２２との間を前述したフレキシブル基板１０９で接続しており、このフレキシブル基板１０９により制御信号の通信が行われるようになっている。
このうち、例えば、表示制御部１２２では、開閉検出部１１０Ａからの携帯電話機の使用形態情報により、第１の表示部１０４と第２の表示部１０６とでの各ＬＣＤの表示切替動作を制御するように構成している。
【０００８】
さらに、このような第１、第２の表示部を備えた携帯電話機にあっては、図１２および図１３に示すように、ホール素子１１０Ａおよび磁石１１０Ｂを実装し、使用形態の変化、つまり筐体の開閉動作に応じて、このホール素子１１０Ａと磁石１１０Ｂが近接状態にあるか遠隔状態にあるかを検出し、これらの状態に合わせて第１、第２の表示部１０４，１０６の表示動作を行うべきＬＣＤの切替動作などの機器の動作モードを変えるように構成した非接触方式の通信手段が知られている。
【０００９】
また、このような非接触方式の通信を行う別の構成の折畳式の携帯電話機として、例えば、ヒンジ部内部にコイルを収容し、このコイルにより被接触方式でデータ及び電源の授受を行う構成であって、ヒンジ部の開閉角度が一定の限定された範囲に限りデータ及び電源の伝達を可能とするものも知られている（例えば、特許文献１参照。）。
【００１０】
【特許文献１】
特開平９−２６８３４号公報（第２頁、図４）
【００１１】
【発明が解決しようとする課題】
しかしながら、上記した従来のフレキシブル基板を用いる携帯電話機では、フレキシブル基板内に構成されるプリント配線が電子機器の使用形態の変化を繰り返すうちに、経時的に電気的接続が劣化し、ついには断線してしまうという問題があった。
【００１２】
また、フレキシブル基板内配線の断線を防ぐために、例えば前述したコイルなどを用いた非接触通信方式の携帯電話機では、ヒンジ部の内部又は近傍にコイルを設置し、電磁誘導によって通信を行う形態となっているので、携帯電話機内部の実装基板へのノイズによる障害が発生し、携帯電話機の動作に悪影響を与える恐れがある。また、携帯電話機外部の電磁界と結合し、外部の携帯電話機に対してノイズ障害をもたらしたり、外部機器からの影響を受けやすい。さらに、アンテナを収容する携帯電話機の場合には、そのアンテナへの影響も大きく、携帯電話機の小型化には大きな障害となる。
【００１３】
さらに、光空間伝送方式として、ＩｒＤＡ（ＩｎｆｒａＲｅｄ  Ｄａｔａ  Ａｓｓｏｃｉａｔｉｏｎ；赤外線データ通信規格）などが一般的に知られているが、これは異なる携帯電話機間などの通信を行う方式であり、任意の位置関係にある携帯電話機間などの通信を保証するために、通信可能範囲を広く（通信距離２０ｃｍ）設定している。そこで、このような通信方式に対応する携帯電話機などでは、通常、光送受信デバイスの発光強度を大きく、しかも広角度の通信を実現するために、光を拡散させるレンズを具備させており、デバイスの小型化が困難となっている。
【００１４】
本発明は、上記従来の問題を解決するものであり、従来の可動部に発生する応力による断線不良の問題を完全に防ぐことが可能で、かつ、電子機器内の回路や外部機器へのノイズ弊害も全く与えず、さらに通信対象の位置が確定しており、近距離（通信距離が例えば数ｃｍ）で狭範囲の通信を保証でき、ＩｒＤＡ用の光送受信素子よりも小型な光送受信素子にて光通信を実現できる電子機器及び電子機器内の通信方法を提供することを目的とする。
【００１５】
【課題を解決するための手段】
上記課題を解決するために、本発明の電子機器は、第１の筐体及び第２の筐体と、前記第１の筐体及び第２の筐体を可動可能な状態で連結する可動部とを備え、前記第１の筐体に収容する第１の実装基板と前記第２の筐体に収容する第２の実装基板との間でのデータの授受を行う電子機器であって、
前記第１の実装基板と前記第２の実装基板の双方に光送受信機を有するとともに、
前記光送受信機は、前記第１の実装基板と第２の実装基板との間の通信を、前記可動部を介して前記第１の筐体及び前記第２の筐体の内部において光を用いた空間伝送により行うように構成したことを特徴とするものである。
【００１６】
このような構成により、従来の可動部に発生する応力による断線不良の問題を完全に防ぐことが可能で、かつ、電子機器内の回路や外部機器へのノイズ弊害も全く与えない電子機器を実現することができる。
【００１７】
また、本発明の電子機器は、第１の筐体及び第２の筐体と、前記第１の筐体及び第２の筐体を可動可能な状態で連結する可動部とを備え、前記第１の筐体に収容する第１の実装基板と前記第２の筐体に収容する第２の実装基板との間でのデータの授受を行う電子機器であって、
前記第１の実装基板と前記第２の実装基板の双方に、第１の光送受信機と、第１の光送受信機の指向範囲外を指向範囲とする第２の光送受信機とを有するとともに、
前記各実装基板における第１、第２の光送受信機のうち、前記可動部の開閉角度によって対面して通信可能となる方に切替える制御手段を備えたことを特徴とするものである。
【００１８】
このような構成により、使用態様に応じて光送受信機の通信動作の切替を行うことができ、しかも、従来の可動部に発生する応力による断線不良の問題を完全に防ぐことが可能で、かつ、電子機器内の回路や外部機器へのノイズ弊害も全く与えない電子機器を実現することができる。
【００１９】
また、本発明の電子機器は、前記第１の光送受信機と前記第２の光送受信機とのそれぞれに同期検出部を備えると共に、
前記第１、第２の光送受信機のうち同期が取れて通信可能となる方を検出し、その検出結果に応じて動作を切替える制御手段を備えた
ことを特徴とするものである。
【００２０】
このような構成とすることにより、使用形態の変化に伴って動作をかえるソフト処理が不要な電子機器を実現することができる。
【００２１】
また、本発明の電子機器は、前記第１又は第２の筐体のいずれか一方に配置する第１及び第２の表示部と、
前記第１の表示部及び前記第１の光送受信機との間に接続する第１の表示制御部と、
前記第２の表示部及び前記第２の光送受信機との間に接続する第２の表示制御部と、
前記第１、第２の光送受信機のうち通信可能となる方へ通信先が切替わり、前記第１、第２の光送受信機のうち通信可能となっている方の光送受信機に接続している前記表示制御部を動作させる制御手段と
を備えたことを特徴とするものである。
【００２２】
このような構成とすることにより、従来の可動部に発生する応力による断線不良の問題を完全に防ぐことが可能で、かつ、電子機器内の回路や外部機器へのノイズ弊害も全く与えずに、使用形態に応じて第１及び第２の表示部での表示動作の切替を制御することができる。
【００２３】
また、本発明の電子機器は、筐体外部からの外光を受光する位置に前記光送受信機を配置しているとともに、
前記筐体外部からの外光の光量を検出する光量検出部を配置し、
前記表示制御部は、前記光量検出部の検出した光量によって、前記第１及び第２の表示部のいずれかの表示動作を制御するように構成したことを特徴とするものである。
【００２４】
このような構成とすることにより、電子機器の周辺の明るさの検出を行うための専用回路を必要とせずに、表示部のライトの明るさを制御し、電子機器の低消費電力化に有利な電子機器を実現することができる。
【００２５】
また、本発明の電子機器内の通信方法は、第１の筐体及び第２の筐体と、前記第１の筐体及び第２の筐体を可動可能な状態で連結する可動部とを備え、前記第１の筐体に収容される第１の実装基板と前記第２の筐体に収容される第２の実装基板との間でのデータの授受を、前記第１の実装基板と前記第２の実装基板の双方に設けた光送受信機で行う電子機器内の通信方法であって、
前記第１の実装基板と第２の実装基板との間の制御信号の通信を、前記可動部の内部を介して第１の筐体及び第２の筐体内部にて前記光送受信機による光空間伝送により行うことを特徴とするものである。
【００２６】
このような構成により、従来の可動部に発生する応力による断線不良の問題を完全に防ぐことが可能で、かつ、電子機器内の回路や外部機器へのノイズ弊害も全く与えない電子機器を実現することができる。
【００２７】
また、本発明の電子機器内の通信方法は、前記第１の実装基板と前記第２の実装基板の双方に、第１の光送受信機と第１の光送受信機の指向範囲外を指向範囲とする第２の光送受信機とを有し、
前記第１、第２の光送受信機のいずれか一方は、前記可動部での開閉角度によって対面して通信可能となると、前記第１、第２の光送受信機での通信動作が切替わることを特徴とするものである。
【００２８】
このような構成により、使用態様に応じて光送受信機の通信動作の切替を行うことができ、しかも、従来の可動部に発生する応力による断線不良の問題を完全に防ぐことが可能で、かつ、電子機器内の回路や外部機器へのノイズ弊害も全く与えない電子機器を実現することができる。
【００２９】
また、本発明の電子機器内の通信方法は、前記第１、第２の光送受信機のうち同期が取れて通信可能となる方を検出し、その検出結果に応じて通信動作が切替わることを特徴とするものである。
【００３０】
このような構成とすることにより、使用形態の変化に伴って動作をかえるソフト処理が不要な電子機器を実現することができる。
【００３１】
また、本発明の電子機器内の通信方法は、前記第１又は第２の筐体のいずれか一方に配置する第１及び第２の表示部と、
前記第１の表示部及び前記第１の光送受信機との間に接続する第１の表示制御部と、
前記第２の表示部及び前記第２の光送受信機との間に接続する第２の表示制御部とを備え、
前記第１、第２の光送受信機のうち通信可能となる方へ通信先が切替わり、前記第１、第２の光送受信機のうち通信可能となっている方の光送受信機に接続している前記表示制御部のみを動作させることを特徴とするものである。
【００３２】
このような構成とすることにより、従来の可動部に発生する応力による断線不良の問題を完全に防ぐことが可能で、かつ、電子機器内の回路や外部機器へのノイズ弊害も全く与えずに、使用形態に応じて第１及び第２の表示部での表示動作の切替を制御することができる。
【００３３】
また、本発明の電子機器内の通信方法は、前記筐体外部からの外光の光量を検出すると、
前記検出した光量によって、前記第１及び第２の表示部のいずれかの表示動作を制御することを特徴とするものである。
【００３４】
このような構成とすることにより、電子機器の周辺の明るさの検出を行うための専用回路を必要とせずに、表示部のライトの明るさを制御し、電子機器の低消費電力化に有利な電子機器を実現することができる。
【００３５】
【発明の実施の形態】
以下、添付図面を参照しながら本発明の実施の形態について説明する。
【００３６】
［第１の実施の形態］
図１は本発明の第１の実施の形態に係る折畳式の携帯電話機を示すものであり、この携帯電話機では、第１の筐体１と第２の筐体２とが可動部を構成するヒンジ部３によって連結されているとともに、第１の筐体１には第１の実装基板１１を収容する一方、第２の筐体２には第２の実装基板２１を収容している。
【００３７】
また、これら第１の実装基板１１及び第２の実装基板２１には、それぞれ、光送受信機４が実装されている。これらの光送受信機４は、第１の実装基板１１と第２の実装基板２１の間での通信が必要となる使用形態（本実施の形態の携帯電話機では、第１の筐体１と第２の筐体２とを開いた状態）のときに、互いに対面するような位置関係に配置されている。
【００３８】
即ち、本実施の形態では、第１の実装基板１１と第２の実装基板２１の間での通信を通信光αによって行うようになっているが、これらの光送受信機４では確実な光の授受を確保するため、第１の筐体１と第２の筐体２とを開いた状態のときに、お互いに最接近する各実装基板の端部寄りに設置されている。
【００３９】
従って、本実施の形態では、本携帯電話機が取りうる複数の使用形態（筐体が開状態及び閉状態）のうち、第１の実装基板１１と第２の実装基板２１との間の通信が必要となる使用形態（筐体が「開状態」のとき）は１つであるので、以上のような構成とすることにより、携帯電話機内の回路や外部機器へのノイズ弊害も全く与えるおそれのない携帯電話機を実現することができる。
しかも、本実施の形態によれば、従来の可動（ヒンジ）部に発生する応力による断線不良の問題を完全に防ぐことが可能である。
【００４０】
さらに、第１の実装基板１１及び第２の実装基板２１にそれぞれ設置する光送受信機４は、第１の筐体１と第２の筐体２とを開いた状態のときに、お互いに最接近する各実装基板の端部寄りに設置されているので、減衰量を最小限に抑えることができ、その分、この光送受信機４での通信光（例えば、特定波長の光α）を出射する光源の出力をできるだけ抑えることが可能となるので、携帯電話機の筐体の小型化を図ることも可能である。
【００４１】
［第２の実施の形態］
次に、本発明に係る第２の実施の形態について説明する。なお、本実施の形態において、先の第１の実施形態と同一部分には同一符号を付して重複説明を避ける。
図２は第２の実施形態に係る折畳式の携帯電話機内の通信方法を示すものであり、第１、第２の筐体の第１、第２の実装基板１１，２１に、それぞれ、第１の実施形態と同様の光送受信機４を搭載しているが、さらに、本実施形態では、第１の筐体１に収容する第１の実装基板１１に、メインＬＣＤ１２Ａ及びサブＬＣＤ１２Ｂを搭載させている。
【００４２】
なお、メインＬＣＤ１２Ａは、第１、第２の筐体を閉じたときに第２の筐体２と向かい合う第１の筐体１の内面に向けて設置されており、この内面の主要部を占める大きな画面を構成している。一方、サブＬＣＤ１２Ｂは、メインＬＣＤ１２Ａを設けた内面とは逆の外面に向けて設置されており、メインＬＣＤ１２Ａよりも小さな画面を構成している。
【００４３】
さらに、本実施の形態では、第１の筐体側の第１の実装基板１１に、ＬＣＤ１２Ａ，１２Ｂの作動を制御する表示制御部１３を実装させているとともに、第２の筐体側の第２の実装基板２１に、この第２の実装基板２１に搭載されている光送受信機４を制御するための通信制御部２２を実装している。
このうち、表示制御部１３は、第１の表示部１２Ａや第２の表示部１２Ｂの表示切替動作などの制御を行うようになっている。
【００４４】
次に、本実施の形態の動作について、図２を参照しながら説明する。
第１の使用形態時には、即ち、第１、第２の筐体が完全に開いた状態若しくはそれに近い状態となったときには、第１の実装基板１１に実装される表示制御部１３と第２の実装基板２１に実装される通信制御部２２との間での通信を、第１の光送受信機４で送受信される通信光αによって行う。
これにより、例えば通信制御部２２からの制御により一対の光送受信機４を介して送受信される通信光αにより、表示制御部１３から制御信号が出力され、外部へ露出されるメインＬＣＤ１２Ａによる表示動作が開始される。
【００４５】
以上のように、本実施の形態に係る折畳式の携帯電話機が取りうる複数の使用形態（つまり、第１、第２の筐体の開放動作及び閉鎖動作）のうち、表示制御部１３と通信制御部２２との間での通信を必要とする使用形態が１つの場合、即ち、本実施の形態では、第１、第２の筐体の「開状態」となった場合、第１の実装基板１１に実装される表示制御部１３と第２の実装基板２１に実装される通信制御部２２との間での通信が、光送受信部４での送受信により行われる。
従って、本実施の形態によれば、従来では可動部に発生していた応力による断線不良の問題を完全に防ぐことが可能となり、かつ、携帯電話機内の回路や外部機器へのノイズ弊害も全く与えない機内通信方法を実現することができる。
【００４６】
［第３の実施の形態］
次に、本発明に係る第３の実施の形態について説明する。なお、本実施の形態において、先の第１、第２の実施の形態と同一部分には同一符号を付して重複説明を避ける。
【００４７】
図３〜５は第３の実施の形態に係る折畳式の携帯電話機を示すものであり、本実施の形態では、第１の実施の形態と同様に、第１の筐体１と第２の筐体２とが可動部を構成するヒンジ部によって連結されているが、第１の実施形態とは異なり、第１の筐体１に収容する第１の実装基板１１と第２の筐体２に収容する第２の実装基板２１との双方には、それぞれ、第１の光送受信機４と第２の光送受信機５とが実装されている。なお、図３において、符号２３は、操作キーを配設した操作部を示すものである。
【００４８】
第１の光送受信機４は、第１の実装基板１１と第２の実装基板２１との間の通信が必要となる携帯電話機での第１の使用形態（即ち、第１、第２の筐体１，２を開いた状態。以下、これを「開状態」とよぶ）で互いに対面する位置に配置されている。そして、「開状態」（第１の使用形態）での第１の実装基板１１と第２の実装基板２１との間の通信は、この第１の光送受信機４で送受信される通信光αによって行うように構成されている。
【００４９】
一方、第２の光送受信機５は、図３及び５に示すように、第１の実装基板１１と第２の実装基板２１との間の通信が必要となる携帯電話機での第２の使用形態（即ち、筐体を開いた状態。以下、これを「閉状態」とよぶ）で互いに対面する位置に配置されている。
即ち、本実施の形態では、折畳式の携帯電話機の第１筐体１及び第２筐体２を折畳んだときに、図５に示すように、お互いに対向する内面１０、２０部分に光入出窓１０Ａ，２０Ａをそれぞれ設けるとともに、これらの光入出窓１０Ａ，２０Ａの直下に第２の光送受信機５をそれぞれ設けている。これにより、「閉状態」（第２の使用形態）での光通信が第２の光送受信機５で送受信される通信光（例えば、通信光αの波長とは異なる特定波長の光）βによって可能となるように構成されている。
【００５０】
従って、以上のように構成される本実施の形態によれば、折畳式の携帯電話機が取りうる複数の使用形態（本実施の形態では、第１、第２の筐体１，２の「開状態」及び「閉状態」）において、つまり、第１の実装基板１１と第２の実装基板２１との間の通信が必要な使用形態が２つの場合であっても、従来の可動部に発生する応力による断線不良の問題を完全に防ぐことが可能で、かつ、機内の回路や外部機器へのノイズ弊害も全く与えない携帯電話機を実現することができる。
【００５１】
［第４の実施の形態］
次に、本発明に係る第４の実施の形態について説明する。なお、本実施の形態において、先の第１〜第３の実施の形態と同一部分には同一符号を付して重複説明を避ける。
図６は第４の実施の形態に係る折畳式の携帯電話機における機内通信方法を示すものであり、本実施の形態では、第３の実施形態と同様に、第１の実装基板１１と第２の実装基板２１の双方に、第１の光送受信機４及び第２の光送受信機５が実装されている。
【００５２】
また、第１の実装基板１１において、第１の光送受信機４及び第２の光送受信機５は、ともに、表示制御部１３に接続されている。なお、この表示制御部１３は、第２の実施の形態と同様に、第１の表示部１６Ａや第２の表示部１６Ｂの表示切替などの制御を行うものである。
一方、第２の実装基板２１において、第１の光送受信機４及び第２の光送受信機５は、ともに、通信制御部２２に接続されている。
【００５３】
そして、本実施の形態の機内通信方法では、第１の実装基板１１に実装される表示制御部１３と第２の実装基板２１に実装される通信制御部２２との間の通信を、第１、第２の筐体１，２が「開状態」（第１の使用形態）のときには、第１の光送受信機４で送受信される通信光αによって行う。一方、第１、第２の筐体１，２が「閉状態」（第２の使用形態）のときには、第２の光送受信機５で送受信される通信光βによって行う。
【００５４】
従って、本実施の形態では、以上の構成により、携帯電話機が取りうる複数の使用形態において、表示制御部１３と通信制御部２２との間の通信が必要な使用形態が２つの場合であっても、第１〜第３の実施形態と同様に、従来の可動部に発生する応力による断線不良の問題を完全に防ぐことが可能で、かつ、携帯電話機内の回路や外部機器へのノイズ弊害も全く与えない機内通信方法を実現することができる。
【００５５】
［第５の実施の形態］
次に、本発明に係る第５の実施の形態について説明する。なお、本実施の形態において、先の第１〜第４の実施の形態と同一部分には同一符号を付して重複説明を避ける。
図７は、本発明の第５の実施の形態に係る折畳式の携帯電話機における機内通信方法を示すものであり、本実施の形態でも、第３、第４の実施形態と同様に、第１の実装基板１１と第２の実装基板２１の双方に、第１の光送受信機４及び第２の光送受信機５が実装されている。
【００５６】
さらに、本実施の形態では、第１の実装基板１１側において、第１の光送受信機４及び第２の光送受信機５と表示制御部１３との間での同期を図るため、第１の光送受信機４と表示制御部１３との間、および第２の光送受信機５と表示制御部１３との間に、それぞれ、同期検出部６を設けている。
【００５７】
次に、本実施の形態における動作を説明する。
本実施の形態でも、第１、第２の筐体１，２が「開状態」（第１の使用形態）のときには、第１の実装基板１１に実装される表示制御部１３と第２の実装基板２１に実装される通信制御部２２との間の通信を、第１の光送受信機４で送受信される通信光αによって行う。
また、第３、第４の実施形態と同様に、第１、第２の筐体１，２が「閉状態」（第２の使用形態）のときには、第２の光送受信機５で送受信される通信光βによって行う。
【００５８】
しかも、本実施の形態では、第１の光送受信機４と第２の光送受信機５とは、それぞれ、同期検出部６によって通信の同期が図られており、同期状態についての検出結果情報が表示制御部１３へ出力される。
そして、この表示制御部１３では、同期検出部６での情報を受け取ると、第１の光送受信機４での同期が取れているときは、「開状態」（第１の使用形態）での動作が必要な第１の表示部１６Ａを起動する。一方、第２の光送受信機５での同期が取れているときは、「閉状態」（第２の使用形態）での動作が必要な第２の表示部１６Ｂを起動するなどの表示動作の切替制御を行う。
【００５９】
従って、以上の動作により、本実施の形態によれば、第４の実施の形態での効果に加え、従来必要であった携帯電話機での使用形態の検出を行うための専用回路を必要としないため、部品点数の削減および筐体の小型化に有利な携帯電話機を実現することができる。
【００６０】
［第６の実施の形態］
次に、本発明に係る第６の実施の形態について説明する。なお、本実施の形態において、先の第１〜第５の実施の形態と同一部分には同一符号を付して重複説明を避ける。
図８は、本発明の第６の実施の形態に係る折畳式の携帯電話機における機内通信方法を示すものであり、本実施の形態でも、第３〜第５の実施の形態と同様に、第１の実装基板１１と第２の実装基板２１の双方に、第１の光送受信機４及び第２の光送受信機５が実装されている。
【００６１】
また、前述したように、第２の実施の形態では、第１の筐体側の第１の実装基板１１に、メインＬＣＤ１２Ａ及びサブＬＣＤ１２Ｂの作動を制御する表示制御部１３を実装させており、この単一の表示制御部１３によりメインＬＣＤ１２Ａ及びサブＬＣＤ１２Ｂの表示切替動作の制御などを行うようになっていたが、本実施の形態では、メインＬＣＤ１２Ａの制御のために第１の表示制御部１４Ａを設けているとともに、サブＬＣＤ１２Ｂの制御のために第２の表示制御部１４Ｂを設けている。
【００６２】
即ち、本実施の形態では、第１の光送受信機４には第１の表示制御部１４Ａが接続しており、この第１の表示制御部１４Ａが第１の表示部を構成するメインＬＣＤ１２Ａを制御するようになっている。一方、第２の光送受信機５には第２の表示制御部１４Ｂが接続しており、この第２の表示制御部１４Ｂが第２の表示部を構成するサブＬＣＤ１２Ｂを制御するようになっている。
【００６３】
このように、第１の表示制御部１４Ａは、第１の光送受信部４とメインＬＣＤ１２Ａとの間に配設されており、第１の光送受信部４からの制御信号で動作してメインＬＣＤ１２Ａを駆動・制御するように構成されている。
同様に、第２の表示制御部１４Ｂは、第２の光送受信部５とサブＬＣＤ１２Ｂとの間に配設されており、第１の光送受信部４からの制御信号で動作してサブＬＣＤ１２Ｂを駆動・制御するように構成されている。
【００６４】
次に、本実施の形態における動作を説明する。
本実施の形態では、第１、第２の筐体１，２が「開状態」（第１の使用形態）のときには、第１の実装基板１１に実装される第１の表示制御部１４Ａと第２の実装基板２１に実装される通信制御部２２との間の通信を、第１の光送受信機４で送受信される通信光αによって行う。
【００６５】
一方、第１、第２の筐体１，２が「閉状態」（第２の使用形態）のときには、第１の実装基板１１に実装される第２の表示制御部１４Ｂと第２の実装基板２１に実装される通信制御部２２との間の通信を、第２の光送受信機５で送受信される通信光βによって行う。
【００６６】
従って、第１の光送受信機４が通信しているときは、筐体が「開状態」（第１の使用形態）で動作を行う第１の表示部が起動しているのと同時に、第２の表示部が動作を停止している。また、第２の光送受信機５が通信しているときは、筐体が「閉状態」（第２の使用形態）で動作を行う第２の表示部が起動しているのと同時に、第１の表示部が動作を停止している。
【００６７】
従って、本実施の形態によれば、以上のような構成により、使用形態の変化に伴って動作をかえるソフト処理が不要な携帯電話機を実現することができる。
【００６８】
［第７の実施の形態］
次に、本発明に係る第７の実施の形態について説明する。なお、本実施の形態において、先の第１〜第６の実施の形態と同一部分には同一符号を付して重複説明を避ける。
図９は、本発明の第７の実施の形態に係る折畳式の携帯電話機における機内通信方法を示すものであり、本実施の形態でも、第４の実施の形態と同様に、第１の実装基板１１と第２の実装基板２１との双方に、第１の光送受信機４と第２の光送受信機５が実装されている。
【００６９】
さらに、本実施の形態では、第４の実施の形態とは異なり、第１の実装基板に、光量検出部１５が付設されている。
この光量検出部１５は、入力が第２の光送受信部５の出力に接続されているとともに出力が表示制御部１３の入力に接続されており、特定波長の通信光βとは別に外光を第２の光送受信部５が受光すると、この受光量に応じて出力される検出信号が光量検出部１５に入力して筐体周辺の光量を検出するように構成されている。
【００７０】
また、この光量検出部１５では、検出する光量に応じて所定の検出信号を表示制御部１３へ出力するようになっており、これにより、第１、第２の筐体１，２が「開状態」（第１の使用形態）のときには、第１の表示部を構成するメインＬＣＤのバックライトの明るさを制御するように構成されている。
【００７１】
次に、本実施の形態における動作を説明する。
本実施の形態では、第１〜第６の実施形態と同様に、第１、第２の筐体１，２が「開状態」（第１の使用形態）のときには、第１の実装基板１１に実装される表示制御部１３と第２の実装基板２１に実装される通信制御部２２との間の通信を、第１の光送受信機４で送受信される通信光αによって行う。
【００７２】
一方、第１、第２の筐体１，２が「閉状態」（第２の使用形態）のときには、第２の光送受信機５で送受信される通信光βによって行う。また、この第２の光送受信機５は、光量検出部１５によって筐体の「開状態」（第１の使用形態）のときの受光レベルを観測させるようにも構成されており、この受光レベルより得られる光量の検出結果は、表示制御部１３へ出力される。
【００７３】
そして、この表示制御部１３では、光量検出部１５からの情報を受け取ると、その光量に合わせて筐体の「開状態」（第１の使用形態）で動作している第１の表示部を構成するメインＬＣＤのバックライトの明るさを制御する。
【００７４】
従って、以上のような構成により、本実施の形態では、第４の実施の形態での効果に加え、使用する携帯電話機での周辺の明るさの検出を行うための専用回路を必要とせずに、表示部のバックライトの明るさを制御し、低消費電力化に有利な電子携帯電話機を実現することができる。
【００７５】
以上、説明してきた実施の形態では、本発明の電子機器を携帯電話機に適用してきたが、とくにこれに限定されるものではなく、可動部で連結された第１、第２の筐体を有する各種の電子機器への適用が可能である。
【００７６】
【発明の効果】
以上のように本発明は、可動部によって分離された２つの実装基板間の通信を光によって行うことにより、従来の可動部に発生していた応力による断線不良の問題を完全に防ぐことが可能となり、かつ、電子機器内の回路や外部機器へのノイズ弊害も全く与えない電子機器を実現できるという効果が得られる。
【図面の簡単な説明】
【図１】本発明の第１の実施の形態に係る折畳式の携帯電話機の筐体を開いた第１の使用態様を示す概略図である。
【図２】本発明の第２の実施の形態に係る折畳式の携帯電話機の電気的な構成などを示すブロック図である。
【図３】本発明の第３の実施の形態に係る折畳式の携帯電話機を示す概略斜視図である。
【図４】本発明の第３の実施の形態に係る折畳式の携帯電話機の筐体を開いた第１の使用態様を示す概略図である。
【図５】本発明の第３の実施の形態に係る折畳式の携帯電話機の筐体を閉じた第２の使用態様を示す概略図である。
【図６】本発明の第４の実施の形態に係る折畳式の携帯電話機の電気的な構成などを示すブロック図である。
【図７】本発明の第５の実施の形態に係る折畳式の携帯電話機の電気的な構成などを示すブロック図である。
【図８】本発明の第６の実施の形態に係る折畳式の携帯電話機の電気的な構成などを示すブロック図である。
【図９】本発明の第７の実施の形態に係る折畳式の携帯電話機の電気的な構成などを示すブロック図である。
【図１０】従来の折畳式の携帯電話機における第１の使用形態を示す概略斜視図である。
【図１１】従来の折畳式の携帯電話機における第２の使用形態を示す概略斜視図である。
【図１２】図１０に示す従来の折畳式の携帯電話機の第１の使用形態における内部状態を示す概略図である。
【図１３】図１１に示す従来の折畳式の携帯電話機の第２の使用形態における内部状態を示す概略図である。
【図１４】従来の折畳式の携帯電話機の構成を示すブロック図である。
【符号の説明】
１      第１の筐体
１０    内面
１０Ａ  光入出窓
１１    第１の実装基板
１２Ａ  メインＬＣＤ
１２Ｂ  サブＬＣＤ
１３    表示制御部
１４Ａ  第１の表示制御部
１４Ｂ  第２の表示制御部
１５    光量検出部
１６Ａ  第１の表示部
１６Ｂ  第２の表示部
２      第２の筐体
２０    内面
２０Ａ  光入出窓
２１    第２の実装基板
２２    通信制御部
２３    操作キーを配設した操作部
３      可動部（ヒンジ部）
４      （第１の）光送受信機
５      （第２の）光送受信機
６      同期検出部
α      通信光
β      通信光
【図１】
2004282353.tif 000003
【図２】
2004282353.tif 000004
【図３】
2004282353.tif 000005
【図４】
2004282353.tif 000006
【図５】
2004282353.tif 000007
【図６】
2004282353.tif 000008
【図７】
2004282353.tif 000009
【図８】
2004282353.tif 000010
【図９】
2004282353.tif 000011
【図１０】
2004282353.tif 000012
【図１１】
2004282353.tif 000013
【図１２】
2004282353.tif 000014
【図１３】
2004282353.tif 000015
【図１４】
2004282353.tif 000016